(57)【要約】【課題】パレットに積載された個装箱に金属性の製品が含まれている場合、内側の個装箱のＩＣタグと通信を行うことが困難になる。【解決手段】ＩＣタグ通信中継シート５６は、ＩＣタグに対して電波の送受信を行う一つ又は複数のアンテナ６２〜６８を備えたアンテナ部と、各アンテナに接続され、送受信される電波に対応した電気信号を伝達するリード線７０と、前記アンテナ部の外部の板状部材５８に配置され、前記リード線に接続されて各アンテナに対応した電気信号を外部装置に入出力させる入出力部とを備える。アンテナ部を内側の個装箱付近に配置し、入出力部を外表面付近に配置することで、入出力部にアクセスした外部装置と内側の個装箱のＩＣタグとの通信が可能となる。【選択図】図５
2005347870.tif 000002
【特許請求の範囲】
【請求項１】
ＩＣタグに対して電波の送受信を行う一つ又は複数のアンテナを備えたアンテナ部と、
各アンテナに接続され、送受信される電波に対応した電気信号を伝達するリード線と、
前記アンテナ部の外部に配置され、前記リード線に接続されて各アンテナに対応した電気信号を外部装置に入出力させる入出力部と、
を備える、ことを特徴とするＩＣタグ通信中継装置。
【請求項２】
請求項１に記載のＩＣタグ通信中継装置において、
面状に広がる面状部材を備え、
前記アンテナ部は、この面状部材に配置されている、ことを特徴とするＩＣタグ通信中継装置。
【請求項３】
請求項２に記載のＩＣタグ通信中継装置において、
前記面状部材は柔軟性のあるシート状部材である、ことを特徴とするＩＣタグ通信中継装置。
【請求項４】
請求項２に記載のＩＣタグ通信中継装置において、
前記面状部材の外縁には板状部材が接続され、
前記入出力部は、この板状部材に配置されている、ことを特徴とするＩＣタグ通信中継装置。
【請求項５】
請求項２に記載のＩＣタグ通信中継装置において、
前記アンテナ部には、複数のアンテナが規則的間隔で配置されている、ことを特徴とするＩＣタグ通信中継装置。
【請求項６】
請求項１に記載のＩＣタグ通信中継装置において、
定形性のある細長部材を備え、
前記アンテナ部は、この細長部材に配置され、
前記入出力部はこの細長部材の一端の側に配置されている、ことを特徴とするＩＣタグ通信中継装置。
【請求項７】
請求項６に記載のＩＣタグ通信中継装置において、
前記細長部材は、方形の断面形状を有し、
前記アンテナは、方形の一方の対角線により形成される面内に配置されている、ことを特徴とするＩＣタグ通信中継装置。
【請求項８】
請求項６に記載のＩＣタグ通信中継装置において、
前記細長部材は外形をなす筒体を備え、
前記アンテナは、この筒体の中心軸を含む面内に配置されている、ことを特徴とするＩＣタグ通信中継装置。
【請求項９】
請求項６に記載のＩＣタグ通信中継装置において、
前記入出力部は、前記細長部材の一端面内に配置されている、ことを特徴とするＩＣタグ通信中継装置。
【請求項１０】
請求項６に記載のＩＣタグ通信中継装置において、
前記細長部材の一端付近には鍔が設けられている、ことを特徴とするＩＣタグ通信中継装置。
【請求項１１】
請求項１０に記載のＩＣタグ通信中継装置において、
前記入出力部は、前記外部装置に対し電波を通じて前記電気信号を入出力するためのハブアンテナを備え、
このハブアンテナは、前記鍔に配置されている、ことを特徴とするＩＣタグ通信中継装置。
【請求項１２】
請求項１に記載のＩＣタグ通信中継装置において、
一端の側におもりを備えた細長の柔軟部材を備え、
前記入出力部はこの柔軟部材の一端の側に配置され、
前記アンテナ部は、この柔軟部材に配置されている、ことを特徴とするＩＣタグ通信中継装置。
【請求項１３】
請求項１に記載のＩＣタグ通信中継装置において、
前記入出力部は、前記外部装置に対し電波を通じて前記電気信号を入出力するためのハブアンテナを備える、ことを特徴とするＩＣタグ通信中継装置。
【請求項１４】
請求項１に記載のＩＣタグ通信中継装置において、
前記入出力部は、前記外部装置に対し有線接続されるための端子部を備える、ことを特徴とするＩＣタグ通信中継装置。
【請求項１５】
請求項１に記載のＩＣタグ通信中継装置において、
前記リード線上には、前記電気信号を増幅するための増幅器が備えられている、ことを特徴とするＩＣタグ通信中継装置。
【請求項１６】
請求項１に記載のＩＣタグ通信中継装置において、
前記アンテナ部は複数のアンテナを備え、
前記リード線上には、前記外部装置と接続するアンテナを切り替える切り替え回路が備えられている、ことを特徴とするＩＣタグ通信中継装置。
【請求項１７】
ＩＣタグを備えた同形状の小箱を一段に３×３個以上かつ二段以上パレット上に積載するステップであって、積載完了時に外面しない小箱の下面あるいは上面に請求項２に記載のＩＣタグ通信中継装置の面状部材を配置し、その入出力部を積載完了時に外面する位置に配置する過程を含む積載ステップと、
前記外部装置を用いて前記入出力部に信号接続し、前記外面しない小箱に備えられたＩＣタグと通信する通信ステップと、
を含む、ことを特徴とするＩＣタグ通信中継方法。
【請求項１８】
ＩＣタグを備えた同形状の小箱を廻し積みにより一段に３×３個以上かつ二段以上パレット上に積載するステップであって、積載完了時に外面しない小箱の周囲に隙間を設け、各段ともに同じ位置関係で小箱を積み上げていく積載ステップと、
前記隙間に対し、その上部から、請求項６に記載のＩＣタグ通信中継装置の細長部材、または、請求項１２に記載のＩＣタグ通信中継装置の柔軟部材を挿入する挿入ステップと、
前記外部装置を用いて前記入出力部に信号接続し、前記外面しない小箱に備えられたＩＣタグと通信する通信ステップと、
を含む、ことを特徴とするＩＣタグ通信中継方法。
【請求項１９】
請求項１８に記載のＩＣタグ通信中継方法において、
前記挿入ステップにおいては、前記細長部材または前記柔軟部材をその入出力部が配置される側を上側にして挿入する、ことを特徴とするＩＣタグ通信中継方法。
【請求項２０】
請求項１８に記載のＩＣタグ通信中継方法において、
前記挿入ステップにおいては、前記細長部材または前記柔軟部材をその入出力部が配置される側を下側にして挿入する、ことを特徴とするＩＣタグ通信中継方法。
【請求項２１】
パレットの上面に、請求項６に記載のＩＣタグ通信中継装置の細長部材を垂直方向に立てて設置する設置ステップと、
ＩＣタグを備えた同形状の小箱を一段に３×３個以上かつ二段以上前記パレット上に積載するステップであって積載完了時に外面しない小箱を前記細長部材に近接させて廻し積みする積載ステップと、
前記外部装置を用いて前記入出力部に信号接続し、前記外面しない小箱に備えられたＩＣタグと通信する通信ステップと、
を含む、ことを特徴とするＩＣタグ通信中継方法。
【請求項２２】
請求項２１に記載のＩＣタグ通信中継方法において、
前記設置ステップにおいては、前記細長部材をその入出力部が配置される側を上側にして設置する、ことを特徴とするＩＣタグ通信中継方法。
【請求項２３】
請求項２１に記載のＩＣタグ通信中継方法において、
前記設置ステップにおいては、前記細長部材をその入出力部が配置される側を下側にして設置する、ことを特徴とするＩＣタグ通信中継方法。
【請求項２４】
請求項１７乃至２３のいずれか１項に記載のＩＣタグ通信中継方法において、
前記外面しない小箱に備えられたＩＣタグと、前記ＩＣタグ中継装置のアンテナとが略平行となるように、前記ＩＣタグと前記ＩＣタグ中継装置のアンテナの相対位置関係が設定される、ことを特徴とするＩＣタグ通信中継方法。
【発明の詳細な説明】
【技術分野】
【０００１】
本発明は、ＩＣタグと通信を行うための技術、特に、ＩＣタグとの直接的な電波通信が困難な状況下で用いられる技術に関する。
【背景技術】
【０００２】
アンテナ及び集積回路（ＩＣ）を備えたＩＣタグ（ＲＦＩＤタグ）が、各種の商品やその包装等に取り付けられ、利用されはじめている。ＩＣタグには、その製品情報等や物流情報が製造段階において書き込まれる。そして、例えば、物流の段階において、物流トレーサビリティ、在庫管理、仕向先指定等に利用される。物流段階においては、各商品はしばしば個装箱に梱包されてパレットに積載され、パレット単位で輸送や保管が行われる。
【０００３】
下記特許文献１には、パレットを用いた物流管理技術に関する記載がある。
【０００４】
【特許文献１】特開２００２−２４０９１３号公報
【発明の開示】
【発明が解決しようとする課題】
【０００５】
例えば電子写真方式を用いた複写機やプリンタのプロセスカートリッジにおいても、ＩＣタグの取り付けが一般的になりつつある。ＩＣタグには製品番号や製造年月日等の製品情報が記憶されており、複写機やプリンタへの装着時に利用されている。また、ＩＣタグには、仕向け先や出荷日時等についての物流情報を記憶させることができ、物流管理等に利用されている。
【０００６】
しかし、このプロセスカートリッジには、帯電ロールの軸芯シャフトやアルミを基材とした感光体ドラムなど、多くの金属部材が組み込まれている。このため、プロセスカートリッジの個装箱をパレットに多数積載した状態では、導体としてのこの金属部材によって電磁波がシールドされてしまい、内側の個装箱のＩＣタグに外部から電磁波を通じてアクセスすることが困難あるいは不可能となってしまう。そこで、現状においては、物流過程において、ＩＣタグとの通信を行う際に各個装箱を一旦パレットから降ろし、個別に読み書き処理を行ってから再度パレットへ積載する作業が行われている。
【０００７】
本発明の目的は、外部からの電磁波による通信が困難な状況下にあるＩＣタグに対し、通信を行うための技術を確立することにある。
【０００８】
本発明の別の目的は、ＩＣタグを含む積載物がパレット上に複数個積載された場合において、内側のパレットのＩＣタグに対するアクセス容易性を向上させることにある。
【課題を解決するための手段】
【０００９】
本発明のＩＣタグ通信中継装置は、ＩＣタグに対して電波の送受信を行う一つ又は複数のアンテナを備えたアンテナ部と、各アンテナに接続され、送受信される電波に対応した電気信号を伝達するリード線と、前記アンテナ部の外部に配置され、前記リード線に接続されて各アンテナに対応した電気信号を外部装置に入出力させる入出力部と、を備える。
【００１０】
ＩＣタグとは、集積回路（ＩＣ）とそれに接続された付属アンテナとを備えた小装置である。ＲＦＩＤタグと呼ばれることもある。ＩＣタグにおいては、付属アンテナを用いて電波の送受信が行われ、集積回路に記憶された情報の読み書きが行われる。ＩＣタグの通信の相手方は、リード／ライタ等の外部装置である。ＩＣタグ通信中継装置は、ＩＣタグと外部装置との間に設けられ、この通信の中継を行う。
【００１１】
アンテナ部は一つ又は複数のアンテナを備えており、ＩＣタグと電波の送受信を行う。送信時には同時刻に一つのアンテナのみを用いることが一般的であるが、二つ以上のアンテナを同時に用いることも可能である。アンテナにはリード線が接続され、電波に対応した電気信号を伝達する。そして、リード線は、アンテナ部の外部に配置された入出力部に接続されている。これにより、入出力部は、各アンテナに対応した電気信号を外部装置に入出力することができる。外部装置への入出力は、有線方式により行われても、無線方式により行われてもよい。
【００１２】
この構成によれば、ＩＣタグが金属に囲まれているなど、外部装置が電波により直接通信を行うことが困難な場合であっても、その障壁部分をまたぐようにＩＣタグ中継装置を設置することで通信が可能となる。通信可能距離は、アンテナ部と入出力部との距離を調節することで変えることができる。
【００１３】
望ましくは、本発明のＩＣタグ通信中継装置は、面状に広がる面状部材を備え、前記アンテナ部は、この面状部材に配置されている。面状部材は、定形性のある素材（変形しにくい素材）によって作られてもよいし、変形しやすい柔軟性のある素材によって作られてもよい。安定した形状が必要となる場合には定形性のある素材で、配置時に周囲の形状にフィットさせる必要がある場合には、柔軟性のある素材を用いることが好ましい。面状部材は、典型的には、通信したいＩＣタグの近辺に水平的にあるいは垂直的に配置して設置される。面状部材の形状や大きさはこうした利用態様に応じて設定することができる。
【００１４】
望ましくは、本発明のＩＣタグ通信中継装置において、前記面状部材は柔軟性のあるシート状部材である。シート状部材は、例えば、導電性のない樹脂で作ることができる。そして、このシート状部材にアンテナパターンが形成される。シート状部材は、水平的にあるいは鉛直方向に広げられて配置できる他、物品を包むように折り曲げたりして設置することもできる。シート状部材の柔軟性の程度は、設置時における周囲の形状へどの程度フィットする必要があるかを考慮して適宜設定することができる。
【００１５】
望ましくは、本発明のＩＣタグ通信中継装置において、前記面状部材の外縁には板状部材が接続され、前記入出力部は、この板状部材に配置されている。板状部材とは、比較的変形がおきにくい平面状の部材をいう。板状部材は、面状部材の外縁に接続される。これにより、板状部材と面状部材との結合を比較的強固に保てる他、入出力部の存在箇所が明確になる利点も生じる。
【００１６】
板状部材及び面状部材を含むＩＣタグ中継装置は、典型的には面状部材を積載した小箱等の間に挟まれ、板状部材が小箱からはみ出すようにして設置されて用いられる。この時には、板状部材が搬送や保管の際に周囲の邪魔にならないように、板状部材を小箱等の側面に沿って配置することが望ましい。これは、面状部材に対して板状部材がほぼ直交するように、面状部材に対して板状部材を予め固定的に取り付けることで実現することができる。あるいは、面状部材が柔軟性を有する場合には、板状部材の重み及び面状部材の柔軟性を利用して自然と小箱等の側面に垂れ下がるように構成して実現してもよい。
【００１７】
なお、入出力部の配置は、この他にも様々に行うことができる。例えば、面状部材上、かつ、面状部材の外縁付近に（必要であれば板状部材を取り付けて）配置してもよい。また、入出力部を面状部材とは別体として形成し、両者をリード線を含む柔軟素材（例えば、テープ状は紐状の部材）で接続することも有効である。
【００１８】
望ましくは、本発明のＩＣタグ通信中継装置において、前記アンテナ部には、複数のアンテナが規則的間隔で配置されている。アンテナの個数及びその配置間隔は、例えば、面状部材とともに用いるＩＣタグを備えた小箱の大きさや配置間隔等によって決めることができる。また、様々な大きさの小箱に対応できるように、想定しうる最も小さな小箱の間隔に基づいて定めてもよい。
【００１９】
望ましくは、本発明のＩＣタグ通信中継装置は、定形性のある細長部材を備え、前記アンテナ部は、この細長部材に配置され、前記入出力部はこの細長部材の一端の側に配置されている。細長部材は、比較的硬い素材によって形成されている。その形状は、棒状、筒状、板状など、様々に可能である。棒状や板状などの厚みをもった形状は、比較的安定して所定位置に配置できる利点がある。また、板状の形状には、平面的な隙間に対しても空間的なスペースをほとんど占有することなく配置しやすいという利点がある。利用時においては、典型的にはこの細長部材を鉛直方向に立たせるようにして設置する。もちろん、水平的にあるいは斜めに傾けて設置するなどしてもよい。
【００２０】
なお、入出力部が細長部材の一端の側に配置されるとは、細長部材内の一方の端部付近に配置されること、あるいは、前記細長部材の一方の端部付近と接続された別部材に配置された状態をさす。後者の一例としては、細長部材の一端から延びるリード線（必要に応じてリード線を保護する部材があってもよい）と接続された別部材を設ける態様が挙げられる。
【００２１】
望ましくは、本発明のＩＣタグ通信中継装置において、前記細長部材は、方形の断面形状を有し、前記アンテナは、方形の一方の対角線により形成される面内に配置されている。細長部材を備えたＩＣタグ通信中継装置の好適な使用態様の一つとして、ＩＣタグを備えた小箱を複数組み合わせて作られる隙間に細長部材を挿入する場合を挙げることができる。その場合、典型的には、細長部材の方形の各面は小箱の各面と平行に配置される。そこで、周囲の４方向の小箱のＩＣに対し、一つのアンテナで最もバランスよく電波の放射及び受信を行えるように、方形の対角線によって形成される面内にアンテナを配置することとした。この構成は、特に、電波の波長やアンテナ形状に起因したアンテナの指向性がある場合に役立つ。
【００２２】
望ましくは、本発明のＩＣタグ通信中継装置において、前記細長部材は外形をなす筒体を備え、前記アンテナは、この筒体の中心軸を含む面内に配置されている。望ましくは、本発明のＩＣタグ通信中継装置において、前記入出力部は、前記細長部材の一端面内に配置されている。
【００２３】
望ましくは、本発明のＩＣタグ通信中継装置において、前記細長部材の一端付近には鍔が設けられている。例えば鍔を上側にして細長部材を口径の狭い部分に挿入するような場合には、鍔はＩＣタグ中継装置の落下を防ぐ役割や、挿入長さを一様とする役割を果たすことができる。あるいは、ＩＣタグ通信中継装置をパレット等の適当な部材に設置する場合に、鍔を設置のための補助部材として使うことも有効である。望ましくは、本発明のＩＣタグ通信中継装置において、前記入出力部は、前記外部装置に対し電波を通じて前記電気信号を入出力するためのハブアンテナを備え、このハブアンテナは、前記鍔に配置されている。
【００２４】
望ましくは、本発明のＩＣタグ通信中継装置において、一端の側におもりを備えた細長の柔軟部材を備え、前記入出力部はこの柔軟部材の一端の側に配置され、前記アンテナ部は、この柔軟部材に配置されている。柔軟部材としては、糸状、テープ状などを挙げることができる。鉛直方向に延びる隙間に対しては、おもりに作用する重力を利用することで、上述した細長部材と同様に、細長の柔軟部材を挿入することができる。細長部材と同じように、適当な位置に鍔を備えてもよい。なお、入出力部がおもりの側にとりつけられる場合には、入出力部自体がおもりの役割を果たすものであってもよい。
【００２５】
望ましくは、本発明のＩＣタグ通信中継装置において、前記入出力部は、前記外部装置に対し電波を通じて前記電気信号を入出力するためのハブアンテナを備える。すなわち、外部装置と無線方式で信号の入出力を行うためのアンテナとして、ハブアンテナが設けられている。ハブアンテナの形状は、利用する周波数帯や、設置スペース（平面か立体化）等を考慮して適宜定めることができる。
【００２６】
望ましくは、本発明のＩＣタグ通信中継装置において、前記入出力部は、前記外部装置に対し有線接続されるための端子部を備える。すなわち、外部装置と有線方式で信号の入出力を行うため、外部装置によって接触される端子部を備えている。端子部は典型的には、コネクタ形状とする。すなわち、対応する外部装置の端子部と嵌合して簡易に一時的な固定を図るものとすることが望ましい。
【００２７】
望ましくは、本発明のＩＣタグ通信中継装置において、前記リード線上には、前記電気信号を増幅するための増幅器が備えられている。典型的には、増幅器は内蔵バッテリを備え、これを電力源として駆動を行う。外部装置から電波等によって供給された電力をコンデンサ等に蓄積して電力源とするような構成をとることも可能である。増幅器は、アンテナ部の複数のアンテナから同時に電波を放射する場合や、ＩＣタグがパッシブ方式で相当な電磁波のエネルギを供給する必要がある場合などに、設置されていることが特に望ましい。
【００２８】
望ましくは、本発明のＩＣタグ通信中継装置において、前記アンテナ部は複数のアンテナを備え、前記リード線上には、前記外部装置と接続するアンテナを切り替える切り替え回路が備えられている。同時に複数のアンテナから電波を放射すると、電波が干渉するおそれがある。また、同時に複数のアンテナからの電波を受信すると、信号の重ね合わせにより解析が複雑になるおそれがある。そこで、切り替え回路によって、接続対象とするアンテナの切り替えを行うこととした。切り替えは、予め設定された手順に従って自動的に行ってもよいし、外部装置からの指示に基づいて行うようにしてもよい。
【００２９】
本発明のＩＣタグ通信中継方法は、ＩＣタグを備えた同形状の小箱を一段に３×３個以上かつ二段以上パレット上に積載するステップであって、積載完了時に外面しない小箱の下面あるいは上面にＩＣタグ通信中継装置の面状部材を配置し、その入出力部を積載完了時に外面する位置に配置する過程を含む積載ステップと、前記外部装置を用いて前記入出力部に信号接続し、前記外面しない小箱に備えられたＩＣタグと通信する通信ステップと、を含む。
【００３０】
この構成によれば、ＩＣタグを含む積載物がパレット上に複数個積載された場合にも、内側のパレットのＩＣタグに対するアクセス容易性を向上させることができる。特に小箱内の物品が主として導体からなる場合に、この構成をとる利点が生じる。なお、入出力部に対して電波を用いてアクセスする場合には、入出力部は必ずしも積載完了時に外面する位置になくてもよい。すなわち、外部装置と交信可能な位置であれば十分であり、これによりＩＣタグ通信中継装置の設置を容易にすることができる。一方、入出力部を外面させた場合には、ユーザが入出力部の存在位置あるいはＩＣタグ通信装置の存在そのものを容易に認識できる利点がある。
【００３１】
あるいは、本発明のＩＣタグ通信中継方法は、ＩＣタグを備えた同形状の小箱を廻し積みにより一段に３×３個以上かつ二段以上パレット上に積載するステップであって、積載完了時に外面しない小箱の周囲に隙間を設け、各段ともに同じ位置関係で小箱を積み上げていく積載ステップと、前記隙間に対し、その上部から、ＩＣタグ通信中継装置の細長部材、または、ＩＣタグ通信中継装置の柔軟部材を挿入する挿入ステップと、前記外部装置を用いて前記入出力部に信号接続し、前記外面しない小箱に備えられたＩＣタグと通信する通信ステップと、を含むものであってもよい。
【００３２】
望ましくは、本発明のＩＣタグ通信中継方法は、前記挿入ステップにおいては、前記細長部材または前記柔軟部材をその入出力部が配置される側を上側にして挿入する。入出力部が上側に配置される方が、外部装置との通信が容易になることが期待できる。しかし、本発明のＩＣタグ通信中継方法においては、前記挿入ステップにおいては、前記細長部材または前記柔軟部材をその入出力部が配置される側を下側にして挿入するものであってもよい。これは、特に入出力部がハブアンテナを備える構成をとる場合には、下側に配置しても十分な通信性能を確保できると期待できる場合があることによる。
【００３３】
あるいは、本発明のＩＣタグ通信中継方法は、パレットの上面に、ＩＣタグ通信中継装置の細長部材を垂直方向に立てて設置する設置ステップと、ＩＣタグを備えた同形状の小箱を一段に３×３個以上かつ二段以上前記パレット上に積載するステップであって積載完了時に外面しない小箱を前記細長部材に近接させて廻し積みする積載ステップと、前記外部装置を用いて前記入出力部に信号接続し、前記外面しない小箱に備えられたＩＣタグと通信する通信ステップと、を含むものであってもよい。
【００３４】
望ましくは、本発明のＩＣタグ通信中継方法は、前記設置ステップにおいては、前記細長部材をその入出力部が配置される側を上側にして設置する。あるいは、本発明のＩＣタグ通信中継方法は、前記設置ステップにおいては、前記細長部材をその入出力部が配置される側を下側にして設置するものであってもよい。
【００３５】
望ましくは、本発明のＩＣタグ通信中継方法において、前記外面しない小箱に備えられたＩＣタグと、前記ＩＣタグ中継装置のアンテナとが略平行となるように、前記ＩＣタグと前記ＩＣタグ中継装置のアンテナの相対位置関係が設定される。例えば、ＩＣタグとのＩＣタグ通信中継装置のアンテナとの間で、１０ＭＨｚ程度（１３．５６ＭＨｚなど）の周波数帯を利用する場合には、送受信を良好なものとするために、この構成が有効となる。
【発明を実施するための最良の形態】
【００３６】
以下に本発明の好適な実施形態について説明する。
【００３７】
図１は、電子写真方式の複写機やプリンタに用いられるプロセスカートリッジ１０の斜視図である。また、図２は、このプロセスカートリッジ１０の拡大図であり、プロセスカートリッジ１０のカバー１２等を取り除いた状態について示したものである。
【００３８】
プロセスカートリッジ１０は、印刷画像の形成処理過程に関する処理を担う取替部品であり、複写機やプリンタの内部に装着されて使用される。このための構成として、プロセスカートリッジ１０は、感光体ドラム１４を備えている。感光体ドラム１４は、その表面にトナー像が形成される部位である。この感光体ドラム１４の上部には、感光体ドラム１４を一様に帯電させる帯電ロール１６、及びその帯電ロール１６を清掃するための清掃部材１８が設けられている。また、感光体ドラム１４の奥側の側面には、感光体ドラム１４の表面についたトナーを物理的に除去するためのクリーニングブレード２０、及びそれを保持するためのブレード保持プレート２２が設けられている。除去されたトナーは、クリーニングブレード２０の下方に設置されたトナー排出スクリュー２４によって排出される。感光体ドラム１４の端には、ドラムフランジ２６が設けられており、その下方にはＩＣタグ２８が設置されている。
【００３９】
複写機やプリンタにおいて画像形成処理が行われる過程では、感光体ドラム１４は、図において左回りに回転される。そして、まず、帯電ロール１６によって表面が一様に帯電される帯電処理を受ける。続いて、図示しないレーザービーム露光手段によるレーザー照射を受けてその表面に静電潜像が形成される。この静電潜像は、図示しない現像装置によってトナーを用いて現像処理されて、トナー像に変えられる。こうして形成されたトナー像は、図示しない転写装置によって用紙に対して転写され、これにより用紙に対して印刷画像が形成されることになる。転写の工程で転写されることなく感光体ドラム１４の表面に残った若干のトナーは、クリーニングブレード２０によって掻き落とされる。そして、清掃された感光体ドラム１４に対しては、再度、帯電ロール１６による帯電処理が行われ、次の画像作成がなされることになる。
【００４０】
プロセスカートリッジ１０は、主として導電体である金属によって作られている。例えば、感光体ドラム１４はアルミニウムによって作られている。また、帯電ロール１６は、ステンレス製のシャフトを導電性ゴムで覆うことで形成されている。クリーニングブレード２０はウレタンゴム製であり、ブレード保持プレート２２はスチール製である。
【００４１】
このプロセスカートリッジ１０は、発泡性ポリスチレン（ＥＰＳ）等の緩衝材で保護された状態で、段ボール製の小箱である個装箱に収納される。個装箱の大きさは、種類によっても異なるが、例えばＡ４横置きサイズの用紙を処理できるモノクロタイプの場合、横４５０ｍｍ、奥行き２５０ｍｍ、高さ２００ｍｍ程度である。
【００４２】
個装箱は、木材あるいはプラスチック製のパレットに積載される。パレットへの積載形態は、ＪＩＳ（日本工業規格）Ｚ−０１０５に示されているように、パレットと個装箱の相互寸法により様々なパターンで行われる。ここに示したようなプロセスカートリッジの個装箱の場合、一般的サイズ（横幅１１００ｍｍ、奥行き１１００ｍｍ）のパレットに２０個〜１００個程度が積載されることになる。
【００４３】
図３は、パレットに個装箱が積載された様子を示す模式的な斜視図である。パレット３０には、個装箱３２，３４，．．．が、内側に隙間をもたせる廻し積みの手法によって、各段に３×３個、高さ方向に３段にわたって合計２７個積載されている。そして、その周囲には、荷崩れを防ぐためのストレッチフィルム４０が巻き付けられている。
【００４４】
パレットに積載された個装箱３２，３４，．．．の各ＩＣタグに対しては、一般に、リーダ／ライタを用いて通信することができる。しかし、複数の個装箱３２，３４，．．．のうち、外表面から姿が見えない個装箱内のＩＣタグに対しての通信は容易ではない。これは、周囲の個装箱中のプロセスカートリッジ１０に含まれる金属によって電磁波がシールドされためである。図３の例では、３×３×３個のうち、中段の中央の個装箱、場合によっては、下段の中央の個装箱のＩＣタグとの通信が特に困難となる傾向にある。
【００４５】
この問題は、ＩＣタグ通信中継装置を導入することで解決できる。以下では、シート状のＩＣタグ通信中継装置であるＩＣタグ通信中継シートを用いる場合について図４〜図９を用いて説明し、棒状のＩＣタグ通信中継装置であるＩＣタグ通信中継棒を用いる場合について図１０〜図１５を用いて説明する。
【００４６】
図４は、パレットに個装箱を積載した際の様子を示す上面図（ａ）及び正面図（ｂ）である。ここでは、パレット５０の上に、横方向に４列、奥行き方向に４列、高さ方向に４列にわたって、合計６４個のほぼ立方体形状の個装箱が隙間をあけず積載されている（棒積みと呼ばれる）。このため、通常であれば、特に、下から２段目５２及び３段目５４における中央の２×２個の個装箱のＩＣタグとの通信が困難となる。そこで、２段目５２と３段目５４の個装箱の間に、ＩＣタグ通信中継シート５６のシート状部材６０を挟んでいる。そして、ＩＣタグ通信中継シート５６の一部をなす板状部材５８が、３段目５４の個装箱の外側に垂れ下がっている。
【００４７】
図５は、ＩＣタグ通信中継シート５６の斜視図である。ＩＣタグ通信中継シート５６は、柔軟性のある正方形の樹脂からなるシート状部材６０と、シート状部材６０の一辺の縁にシート状部材６０に直交するように下向きに接続された板状部材５８からなる。シート状部材６０の中央付近は、アンテナ部となっており、四つのループアンテナ６２，６４，６６，６８が２×２に配列されて形成されている。そして、このループアンテナ６２，６４，６６，６８には、それぞれ、板状部材５８から延びるリード線７０，７２，７４，７６が接続されている。（一般にループアンテナに対するリード線は一対の二本の線からなるがここでは図示を省略している。）
【００４８】
図６は、板状部材５８を拡大して説明する図である。板状部材５８は樹脂によって作られており、中継器８０、及び入出力部としてのハブアンテナ８２とを含んでいる。中継器８０には、リード線７０，７２，７４，７６が接続されている。また、中継器８０と、ハブアンテナ８２とは、リード線８４で接続されている。
【００４９】
中継器８０は、ハブアンテナ８２とループアンテナ６２，６４，６６，６８とを接続するために設けられている。例えば、両者間のインピーダンス整合を行って、電気信号を滑らかに伝達させる役割を担っている。この中継器８０には、切り替え回路が備えられている。切り替え回路は、ハブアンテナ８２と接続するループアンテナ６２，６４，６６，６８をハブアンテナ８２からの指令に基づいて切り替えるために設けられている。切り替え回路の切り替えは、ハブアンテナ８２を通じてリード／ライタから送られる指令信号に基づいて行われる。これにより、例えば、同時に複数のループアンテナ６２，６４，６６，６８からの電波放射をおこなわないように切り替え処理を行って、電波の相互の干渉を防ぐことができる。
【００５０】
この構成によれば、ユーザは、リード／ライタを用いてハブアンテナ８２と電波の送受信をすることで、いずれかのループアンテナ６２，６４，６６，６８を通じて、パレットに積載された個装箱内のＩＣタグにアクセスすることが可能となる。なお、この構成においては、中継器８０の動作に使われる電力は、ハブアンテナ８２が受信した電波のエネルギーを利用している。
【００５１】
図７は、図６とは別構成された板状部材９０の態様を説明する図である。同一の構成要素には同一の番号を付して説明を省略する。板状部材９０の特徴は、中継器８０とハブアンテナ８２との間に、バッテリを内蔵した中継用増幅器９２を備えている点である。すなわち、ハブアンテナ８２で受信されリード線９６によって伝達される電気信号は中継用増幅器９２によって増幅され、リード線９４を介して中継器８０に送られる。この結果、ループアンテナ６２，６４，６６，６８からＩＣタグに向けて発する電波の出力を上げることが可能となる。また、リード／ライタからハブアンテナ８２に向けて放射される電波の強さを低減することができる。
【００５２】
同様にして、ＩＣタグからの受信電波に基づきループアンテナ６２，６４，６６，６８から送られる電気信号は、中継用増幅器９２によって増幅され、ハブアンテナ８２に送られる。このため、ＩＣタグからの電波が弱くても、十分な強度の電波をリード／ライタに送出することが可能となる。
【００５３】
なお、中継器８０には、必要に応じて周波数変換機能を設けることも可能である。すなわち、リード／ライタとハブアンテナ８２との通信周波数と、ループアンテナ６２，６４，６６，６８とＩＣタグとの通信周波数を変更して、電波の混信を防いだり、通信可能距離を調整することができる。
【００５４】
また、ハブアンテナ８２とリード／ライタとの無線通信の代わりに有線通信をおこなうことも可能である。無線通信の場合には、図３に示したようなストレッチフィルム４０がハブアンテナ８２との間にあっても問題なく接続できた。有線接続の場合には、例えば、リード／ライタの接続部の先端を鋭形な形状とすることで、ストレッチフィルム４０を貫いての直接的な接続が容易に可能となる。
【００５５】
図８と図９は、図５に示したＩＣタグ通信中継シート５６の変形例を示す模式的な斜視図である。図５と同様の構成要素については、同じ番号を付して説明を省略する。図８のＩＣタグ通信中継シート１００は、シート状部材６０の中央付近に楕円形状の二つのループアンテナ１０２，１０４を有している。また、図９のＩＣタグ通信中継シート１１０は、シート状部材６０の中央付近に円形状の一つのループアンテナ１１２のみを有している。このように、アンテナ部に設置するＩＣタグとの交信用のアンテナの個数は、一つでもよいし、二つ以上の任意の数に設定してもよい。一つのアンテナが交信の対象とするＩＣタグの個数を複数とした場合の制御については周知の技術を利用することができる。したがって、アンテナの個数は、アンテナの感度や、切り替えの効率、大きさの異なる個装箱に対する汎用性等を考慮して適宜設定すればよい。
【００５６】
以上の説明においては、シート状部材６０の広さは、図４に示したように、積載された個装箱がしめる水平面積と同程度であるとした。また、ループアンテナが設けられるアンテナ部は、シート状部材６０の中央付近であり、パレット積載時に内側に位置する個装箱のＩＣタグと通信をするものとした。しかし、この本実施の形態は、様々に変形することができる。
【００５７】
例えば、シート状部材６０を内側に位置する複数の個装箱が占める水平面積程度にまで小さくすることができる。この場合には、板状部材５８は、ケーブルを含む連結用部材を介してシート状部材６０と結合すればよい。また、シート状部材６０が図４に示したように外側の個装箱にまで達する場合には、その周辺部、すなわち、外側の個装箱に対応する位置においてもアンテナを配することができる。これにより、外側に積載された個装箱のＩＣタグに対しても良好な通信を行うことができる。
【００５８】
さらに、図４に示した状況においては、２段目と３段目の間にのみＩＣタグ通信中継シート５６を設置したが、この設置箇所を変更することも可能である。すなわち、パレット５０と１段目５１との間、１段目５１と２段目５２との間、３段目５４と４段目５５との間のいずれか、あるいは、全てにＩＣタグ通信中継シート５６を設置することができる。一例としては、１段目５１と２段目５２との間、及び、３段目５４と４段目５５との間に設置して、各段の内側の２×２個の個装箱との通信を確実に確保する組合せが挙げられる。
【００５９】
次に、ＩＣタグ通信中継シートの代わりに、ＩＣタグ通信中継装置としてのＩＣタグ通信中継棒を用いる構成について、図１０〜図１５を用いて説明する。
【００６０】
図１０は、図４とは異なる積載パターンでパレットに個装箱を積載した際の様子を示す上面図（ａ）及び正面図（ｂ）である。ここでは、水平方向に若干細長い直方体形状の個装箱が、パレット１２０の上に横方向に４列、奥行き方向に４列、高さ方向に４列にわたって、合計６４個積載されている。積載には、廻し積みと呼ばれる手法が用いられている。すなわち、各段においては、図１０（ａ）に示すように、長辺及び短辺方向をそろえた２×２個の個装箱からなる４つの個装箱群１２２，１２４，１２６，１２８が、隣合う個装箱群と長辺方向が異なるように組み合わせて配置されている。これにより、パレットの中央部には、個装箱が存在しない隙間１３０が作られる。個装箱は各段ともに同じ並べ方で積み上げられており、隙間１３０は、４段の高さにわたって形成された縦穴となっている。
【００６１】
この隙間１３０に沿って積載されている各段の２×２個の個装箱は、最上段を除き外表面には面していない。したがって、これらの個装箱の中にあるＩＣタグとの通信は一般に困難なものとなる。隙間１３０に挿入されたＩＣタグ通信中継棒１３２はこの問題を解決するものである。ＩＣタグ通信中継棒１３２は四角柱状の外形をなす棒状の部材をベースに形成されている。また、ＩＣタグ通信中継棒１３２の下端は、パレット１２０の上面に達しており、上端はパレット１２０に積載された最上段（下から４段目）の個装箱の上面よりも若干低い位置（例えば２，３ｃｍ程度）に設定されている。
【００６２】
このため、例えば、倉庫等において、パレット１２０の積載物の上に別のパレット１２０を重ね積みしてもＩＣタグ通信中継棒１３２が破壊されることはない。また、その一方で、上端面が外表面近くにあるため、次に説明するハブアンテナとリード／ライタとの交信性能に支障を来すこともない。なお、その上に物品を重ねない場合には、上端面が最上段の積載物の上面からはみ出る長さに設定し、通信の確実性を高めておくことも有効である。
【００６３】
図１１は、ＩＣタグ通信中継棒１３２の模式的な斜視図である。ＩＣタグ通信中継棒１３２は細長い棒状をなす四角柱状部材１３３をベースに作られている。四角柱状部材１３３は、例えば、導電性のない樹脂等によって成形することができる。その内部は、軽量化をはかるために空洞となっていてもよい。
【００６４】
ＩＣタグ通信中継棒１３２の上端面１３４には、ループアンテナをなすハブアンテナ１３６及びそれに接続された中継器１３８が設置されている。そして、中継器１３８は、四角柱状部材１３３の内部に形成されたループアンテナ１４０に接続されている。このループアンテナ１４０は、四角柱状部材１３３の各断面の正方形における一方の対角線が作る面内に設置されている。すなわち、四角柱状部材１３３のいずれの側面とも４５度をなす面内に設置されている。これは、次に述べるように隙間１３０の各面に対し同程度の通信性能を確保するためになされたものである。また、ループアンテナ１４０は、四角柱状部材１３３の上端近くから下端近くにわたって大きく形成されている。これにより、各段の個装箱のＩＣタグと容易に通信することが可能となる。
【００６５】
図１２は、図１０（ａ）のＩＣタグ通信中継棒１３２付近の様子を模式的に示す図である。図１０（ａ）で説明したように、ＩＣタグ通信中継棒１３２は、隙間１３０の中に配置されている。ＩＣタグ通信中継棒１３２の設置方向は、隙間１３０の正方形状にあわせられているため、ＩＣタグ通信中継棒１３２のループアンテナ１４０のアンテナ面は隙間１３０の正方形状の一方の対角線が作る面内に配置されている。
【００６６】
隙間１３０は、四つの個装箱１２２ａ，１２４ａ，１２６ａ，１２８ａによって各面を規定された正方形状をなしている。この個装箱１２２ａ，１２４ａ，１２６ａ，１２８ａは、それぞれ、個装箱群１２２，１２４，１２６，１２８に含まれる個装箱である。各個装箱１２２ａ，１２４ａ，１２６ａ，１２８ａには、それぞれに梱包されたプロセスカートリッジ１０に設置されたＩＣタグ１４２，１４４，１４６，１４８が含まれている。そして、プロセスカートリッジ１０の梱包方向及び対応する個装箱１２２ａ，１２４ａ，１２６ａ，１２８ａはともに設置方向が統一されている。ＩＣタグ１４２，１４４，１４６，１４８のアンテナ面が隙間１３０に正対するように配置されているのはこの理由による。この結果、ＩＣタグ１４２，１４４，１４６，１４８の各アンテナ面と、ループアンテナ１４０のアンテナ面とは、ほぼ４５度をなすように配置されている。一般に送受信をおこなう二つの平面状のアンテナのアンテナ面が直交しない場合には、適度な送受信状態を確保することが可能であり、ＩＣタグ１４２，１４４，１４６，１４８の各アンテナとループアンテナ１４０との送受信状態は比較的良好に設定されていると言える。
【００６７】
なお、アンテナの指向性は、アンテナの形状及び使用する周波数帯によっても異なる。また、アンテナ面の相互角度、相互位置（別の言い方をすれば、対向アンテナの投影面積）によって通信性能が大きく異なってくる。このため、使用周波数及びアンテナの相互位置関係、送信電力などを慎重に選択する必要がある。
【００６８】
図１３は、図１１に示したＩＣタグ通信中継棒１３２の変形例としてのＩＣタグ通信中継棒１５０を示している。ＩＣタグ通信中継棒１５０の本体部は、ＩＣタグ通信中継棒１３２と同じく四角柱状部材１３３によって形成され、その内部にはループアンテナ１４０が設けられている。特徴的な点は、四角柱状部材１３３の上端面に四角柱状部材１３３の幅よりも広い幅をもつ薄い鍔１５２が設けられていることである。鍔１５２には、その縁付近に沿うように巻かれたループアンテナ型のハブアンテナ１５４が設置されている。ハブアンテナ１５４がその中心付近にある中継器１３８に接続されていること、及び、この中継器１３８がループアンテナ１４０に接続されていることは、図１１のＩＣタグ通信中継棒１３２と同様である。
【００６９】
ＩＣタグ通信中継棒１５０は、ＩＣタグ通信中継棒１３２と同様に、廻し積みされてできた隙間に挿入されて用いられる。その際には、鍔１５２が隙間の上端に引っかかって固定される。すなわち、ハブアンテナ１５４が隙間の上端に配置されることになり、リード／ライタと良好な通信環境を確保することが可能となる。鍔１５２の上部にパレットや個装箱が載せられた場合における耐久性確保の観点からは、鍔１５２の上面にカバー等を施すことも有効である。
【００７０】
図１４は、図１１に対応する図であり、ＩＣタグ通信中継棒１３２の変形例としてのＩＣタグ通信中継棒１６０を説明している。ＩＣタグ通信中継棒１６０は、細長い棒状をなす円筒状部材１６２をベースに作られている。そして、円筒状部材１６２の上端面１６４には円形のループアンテナであるハブアンテナ１６６が設置されており、その中央部に設けられた中継器１６８と接続されている。この中継器１６８は、円筒状部材１６２の内部に設けられたループアンテナ１７０と接続されている。ループアンテナ１７０は、円筒状部材１６２の直径を含む面上に形成されている。
【００７１】
図１５は、図１２に対応する図であり、ＩＣタグ通信中継棒１６０の隙間１３０への挿入を説明する図である。同一の部材には同一の番号を付して説明を省略する。ＩＣタグ通信中継棒１６０は、そのループアンテナ１７０のアンテナ面が図１２の場合と同様の角度に配置されるように固定されている。ＩＣタグ通信中継棒１６０は円筒状であり、搬送中に回転してしまう可能性がある。これを防ぐためには、例えば、ＩＣタグ通信中継棒１６０と周囲の個装箱１２２ａ等との間に弾力性のある小片等を楔として挿入するなどすればよい。こうして、ＩＣタグ通信中継棒１６０のループアンテナ１７０と各ＩＣタグ１４２，１４４，１４６，１４８との良好な送受信状況を確保することが可能となる。なお、前に述べたように、使用する周波数帯によっては設置方向が変化しても通信に支障を来さない場合もあり得る。
【００７２】
以上の説明においては、ＩＣタグ通信中継棒１３２，１５０，１６０の挿入にあたって、入出力部としてのハブアンテナを上側に位置させる例を示した。しかし、ハブアンテナが下側になるようにして、ＩＣタグ通信中継棒１３２，１５０，１６０を挿入する態様をとることも可能である。この場合には、ハブアンテナはパレット１２０の上面近くに配置されることになる。パレット１２０は一般に樹脂や木材等によって作られるため、一般には、ハブアンテナとリード／ライタ間で十分な交信状態を確保することが可能となる。
【００７３】
ＩＣタグ通信中継棒は、積載物を積載する前の段階でパレットに設置するようにしてもよい。図１６は、パレット２００の上面２０２に対してＩＣタグ通信中継棒２１０を設置した様子を示す図である。ＩＣタグ通信中継棒２１０は、図１３に示したＩＣタグ通信中継棒１５０とほぼ同様に構成されており、四角柱状部材２１２と鍔２１４を備えている。四角柱状部材２１２の内部には、ＩＣタグと通信するためのアンテナが設けられている。また、鍔２１４には、リード／ライタと交信するためのループアンテナ２１６が設けられている。また、対応した中継器等が鍔２１４の中央付近に設けられている。
【００７４】
ＩＣタグ通信中継棒２１０は、入出力部としてのハブアンテナ２１８、すなわち、鍔２１４を下側にしてパレット２００の上面２０２に配置されている。配置にあたっては、鍔２１４とパレットとをボルト締め等により結合させることで固定してもよいし、両者に対応する凹凸形状を設けて嵌合させることで固定してもよい。あるいは、固定する手間を省くように単にＩＣタグ通信中継棒２１０をパレット２００上に載せるだけでもよい。この場合にも鍔２１６の上に積載物を積載することでＩＣタグ通信中継棒２１０を安定して設置できる。
【００７５】
続いて、ＩＣタグ通信中継シートやＩＣタグ通信中継棒を用いて物流過程を管理する態様を説明する。図１７は、プロセスカートリッジ１０の物流過程を示している。プロセスカートリッジ１０は、生産工場２５０において製造されたあと、個装箱に詰められ、パレットに積載されて各仕向け先に輸送される。図示した例においては、国内出荷分は中央倉庫２６０に輸送され一時保管された後、販売会社２６２、量販店２６４、国内ＯＥＭ先２６６等に輸送される。また、海外出荷分は輸送倉庫２７０に輸送され一時保管された後、船便等で海外ハブ２７２に出荷される。そして、海外ハブ２７２から、海外販売会社２７４や海外ＯＥＭ先２７６に輸送が行われる。
【００７６】
プロセスカートリッジ１０にＩＣタグ２８を設置している場合、この物流過程をＩＣタグ２８を利用して管理することが可能となる。まず、生産工場２５０においては、プロセスカートリッジ１０の製造時にＩＣタグ２８に、商品コード、製造年月日、適合機種（複写機やプリンタ）等の製品情報の書き込みを行う。そして、プロセスカートリッジ１０は、個装箱に収納されて、図３に示したようにパレットに積載される。積載時には、ＩＣタグ通信中継シートあるいはＩＣタグ通信中継棒が配置される。
【００７７】
ＩＣタグ２８に記憶させた商品コードには、同一の製品であっても仕向け先（国内／海外、自社ブランド／ＯＥＭ、等）が異なれば別のコードが与えられる。すなわち、商品コードは、製品の種類を表す製品情報であると同時に、仕向け先を表す物流情報でもある。そこで、輸送段階においては、ＩＣタグ通信中継シートあるいはＩＣタグ通信中継棒を利用してパレットに積載された状態のままＩＣタグ２８の情報を読み取ることで、どこの仕向け先についてのものかを確認する。そして、その情報に基づいて、パレットを中央倉庫２６０あるいは輸送倉庫２７０へと輸送していく。
【００７８】
ＩＣタグ２８の情報は、パレットから個装箱を降ろすことなく、パレットに積載した状態で書き換えることも可能である。そこで、例えば販売会社２６２に輸送する物品の一部を量販店２６４への輸送分に振り替えることになった場合、未定だった仕向け先が確定した場合などに、対象となるプロセスカートリッジ１０に対し、ＩＣタグ通信中継シートあるいはＩＣタグ通信中継棒を経由してリード／ライタからＩＣタグの商品コードの付与あるいは変更を行えばよい。
【００７９】
このように、一旦積載された個装箱をパレットから降ろすことなくそのＩＣタグにアクセスできるようになることで、生産や輸送の効率を向上させることができる他、生産、在庫、輸送管理を効率化することも可能となる。この結果、在庫量を減らし、また、保管場所の統合による保管スペースや保管ラックの削減を図ることができるようになる。そして、各仕向け先別の販売実績が変動しても同品種であれば相互に融通を図ることができるため、在庫切れリスクを低減することができる。さらには、ある仕向け先用の商品が販売中止となった場合にも、この商品を他の仕向け前に輸送することで廃棄損回避を図ることができる。
【００８０】
以上においては、複写機やプリンタに用いるプロセスカートリッジへの応用を念頭に置いて説明した。しかし、本実施の形態は、様々な物品について同様に適用できる。物品には、導電性のものが含まれる場合も多く、本実施の形態を適用することで、このような物品や包装にとりつけられたＩＣタグとの通信状態を良好なものとすることができる。
【図面の簡単な説明】
【００８１】
【図１】ＩＣタグを備えたプロセスカートリッジの斜視図である。
【図２】図１のプロセスカートリッジの部分拡大図である。
【図３】パレットに個装箱を積載した様子を示す斜視図である。
【図４】ＩＣタグ通信中継シートを用いた積載例を示す上面図（ａ）と正面図（ｂ）である。
【図５】ＩＣタグ通信中継シートの一例を示す図である。
【図６】ＩＣタグ通信中継シートの入出力部付近を示す図である。
【図７】入出力部付近の構成の変形例を示す図である。
【図８】ＩＣタグ通信中継シートの別の例を示す図である。
【図９】ＩＣタグ通信中継シートのさらに別の例を示す図である。
【図１０】ＩＣタグ通信中継棒を用いた積載例を示す上面図（ａ）と正面図（ｂ）である。
【図１１】ＩＣタグ通信中継棒の一例を示す図である。
【図１２】ＩＣタグ通信中継棒の配置例を示す概略図である。
【図１３】ＩＣタグ通信中継棒の別の例を示す図である。
【図１４】ＩＣタグ通信中継棒のさらに別の例を示す図である。
【図１５】ＩＣタグ通信中継棒の配置例を示す概略図である。
【図１６】ＩＣタグ通信中継棒をパレットに取り付けた例を示す図である。
【図１７】物流経路の例を示す図である。
【符号の説明】
【００８２】
１０  プロセスカートリッジ、１２  カバー、１４  感光体ドラム、１６  帯電ロール、１８  清掃部材、２０  クリーニングブレード、２２  ブレード保持プレート、２４  トナー排出スクリュー、２６  ドラムフランジ、２８  ＩＣタグ、３０  パレット、３２，３４，．．．  個装箱、４０  ストレッチフィルム、５０  パレット、５６  ＩＣタグ通信中継シート、５８  板状部材、６０  シート状部材、６２，６４，．．．  ループアンテナ、７０，７２，．．．  リード線、８０  中継器、８２  ハブアンテナ、９２  中継用増幅器、１３２  タグ通信中継棒。
【図１】
2005347870.tif 000003
【図２】
2005347870.tif 000004
【図３】
2005347870.tif 000005
【図４】
2005347870.tif 000006
【図５】
2005347870.tif 000007
【図６】
2005347870.tif 000008
【図７】
2005347870.tif 000009
【図８】
2005347870.tif 000010
【図９】
2005347870.tif 000011
【図１０】
2005347870.tif 000012
【図１１】
2005347870.tif 000013
【図１２】
2005347870.tif 000014
【図１３】
2005347870.tif 000015
【図１４】
2005347870.tif 000016
【図１５】
2005347870.tif 000017
【図１６】
2005347870.tif 000018
【図１７】
2005347870.tif 000019